(57)【要約】【課題】頭部保護具を被った状態で頭部保護具に確実に固定できる電子機器装着具を提供する。【解決手段】鍔部３Ｂを有する頭部保護具３に電子機器１を装着可能とする電子機器装着具において、前記電子機器１を取り付けるためのベース部材４と、前記ベース部材４を支持する支持部材５とを備え、前記支持部材５は、前記ベース部材４を支持した状態で前記鍔部３Ｂに固定可能な固定部６を有することを特徴とする。【選択図】  図１
0003190106.tif 000002
【実用新案登録請求の範囲】
【請求項１】
鍔部を有する頭部保護具に電子機器を装着可能とする電子機器装着具において、
前記電子機器を取り付けるためのベース部材と、前記ベース部材を支持する支持部材とを備え、前記支持部材は、前記ベース部材を支持した状態で前記鍔部に固定可能な固定部を有することを特徴とする電子機器装着具。
【請求項２】
前記固定部は、前記鍔部の表側から裏側へ回り込んで該鍔部を表裏で挟む挟持部材から構成されていることを特徴とする請求項１に記載の電子機器装着具。
【請求項３】
前記支持部材は、前記ベース部材に対して着脱自在に構成されていることを特徴とする請求項１又は２に記載の電子機器装着具。
【請求項４】
前記ベース部材は、ベース本体と、ベース本体から突出するベース取付部とを備え、前記電子機器は、前記ベース取付部に取り付けるための電子機器用取付部を備え、前記支持部材は、前記ベース取付部に取り付けるための支持部材用取付部を備え、ベース取付部に前記電子機器用取付部及び前記支持部材用取付部を固定するための締結部材を備えていることを特徴とする請求項３に記載の電子機器装着具。
【請求項５】
前記ベース取付部は、一対の突出片を備え、前記電子機器用取付部は、前記一対の突出片の間に挟み込まれて前記締結部材により締結されるよう構成され、前記支持部材用取付部は、前記一対の突出片の間に挟み込まれて前記締結部材により締結されるよう構成されていることを特徴とする請求項４に記載の電子機器装着具。
【請求項６】
前記電子機器用取付部は、前記ベース取付部の一対の突出片の先端部において、前記締結部材が挿通されるよう構成され、前記支持部材用取付部は、前記電子機器用取付部と前記ベース本体との間に介在されていることを特徴とする請求項５に記載の電子機器装着具。
【考案の詳細な説明】
【技術分野】
【０００１】
本考案は、電子機器装着具に関する。
【背景技術】
【０００２】
従来から、電子機器の一例であるカメラを頭部に装着する電子機器装着具が提案されている。これは、頭部に装着するバンドにカメラホルダを取り付け、そのカメラホルダにカメラを取り付けている（例えば、特許文献１参照）。
【先行技術文献】
【特許文献】
【０００３】
【特許文献１】特開平９−３０４８３０号公報
【考案の概要】
【考案が解決しようとする課題】
【０００４】
上記カメラは、屋外で使用する場合が多い。そのため、特に日差しの強い日には、使用者が頭部保護具である帽子を被ることがある。その場合には、特許文献１の電子機器装着具を帽子に装着して使用することになる。
【０００５】
特許文献１の構成では、バンドを締め付けることによって帽子に電子機器装着具を装着するようにしている。しかしながら、バンドを締め付けても、その締付力が帽子を介して頭部に伝わるため、締付力の大きさがわからない。そのため、電子機器装着具を帽子に確実に装着しておくための調節が難しい。そのため、電子機器装着具を帽子に確実に固定することができない。
【０００６】
そこで、本考案は、かかる事情に鑑みてなされたもので、頭部保護具を被った状態で頭部保護具に確実に固定できる電子機器装着具を提供することを課題とする。
【課題を解決するための手段】
【０００７】
本考案に係る電子機器装着具は、鍔部を有する頭部保護具に電子機器を装着可能とする電子機器装着具において、前記電子機器を取り付けるためのベース部材と、前記ベース部材を支持する支持部材とを備え、前記支持部材は、前記ベース部材を支持した状態で前記鍔部に固定可能な固定部を有することを特徴としている。
【０００８】
本考案によれば、支持部材の固定部を鍔部に固定することによって、電子機器が取り付けられているベース部材を頭部保護具にしっかりと固定できる。
【０００９】
また、本考案に係る電子機器装着具は、前記固定部が、前記鍔部の表側から裏側へ回り込んで該鍔部を表裏で挟む挟持部材から構成されていてもよい。
【００１０】
上記のように、挟持部材が鍔部を表裏で挟むことによって、ベース部材を頭部保護具にしっかりと固定できる。
【００１１】
また、本考案に係る電子機器装着具は、前記支持部材が、前記ベース部材に対して着脱自在に構成されていてもよい。
【００１２】
上記のように、支持部材が、前記ベース部材に対して着脱自在に構成されていれば、支持部材をベース部材から外しても、頭部保護具の鍔部が無い構成の場合でも装着することができる。
【００１３】
また、本考案に係る電子機器装着具は、前記ベース部材が、ベース本体と、ベース本体から突出するベース取付部とを備え、前記電子機器は、前記ベース取付部に取り付けるための電子機器用取付部を備え、前記支持部材は、前記ベース取付部に取り付けるための支持部材用取付部を備え、ベース取付部に前記電子機器用取付部及び前記支持部材用取付部を固定するための締結部材を備えていてもよい。
【００１４】
上記のように、前記電子機器用取付部及び前記支持部材用取付部を、ベース取付部に締結部材の締結力で固定することができる。
【００１５】
また、本考案に係る電子機器装着具は、前記ベース取付部が、一対の突出片を備え、前記電子機器用取付部が、前記一対の突出片の間に挟み込まれて前記締結部材により締結されるよう構成され、前記支持部材用取付部が、前記一対の突出片の間に挟み込まれて前記締結部材により締結されるよう構成されていてもよい。
【００１６】
上記のように、電子機器用取付部及び支持部材用取付部が、一対の突出片の間に挟み込まれて締結部材により締結され、両取付部を確実にベース取付部に固定することができる。
【００１７】
また、本考案に係る電子機器装着具は、前記電子機器用取付部が、前記ベース取付部の一対の突出片の先端部において、前記締結部材が挿通されるよう構成され、前記支持部材用取付部は、前記電子機器用取付部と前記ベース本体との間に介在されていてもよい。
【００１８】
上記のように、支持部材用取付部が、電子機器用取付部とベース本体との間に介在されていることから、締結部材を締結することによって、電子機器用取付部だけでなく支持部材用取付部をも、ベース部材に固定することができる。よって、部品点数の削減化を図ることができ、電子機器装着具のコンパクト化を図ることができる。
【考案の効果】
【００１９】
以上の如く、本考案によれば、支持部材の固定部を鍔部に固定することによって、電子機器が取り付けられているベース部材を頭部保護具にしっかりと固定できる。よって、頭部保護具を被った状態で確実に固定できる電子機器装着具を提供することができる。
【図面の簡単な説明】
【００２０】
【図１】本考案に係る電子機器装着具を示し、電子機器が取り付けられた電子機器装着具を帽子に装着した状態を示す側面図である。
【図２】同電子機器装着具の斜視図である。
【図３】同電子機器装着具の分解斜視図である。
【図４】同電子機器装着具の分解平面図である。
【図５】同電子機器装着具の平面図である。
【図６】同電子機器装着具を構成する支持部材を示し、（ａ）は正面図、（ｂ）は側面図である。
【図７】支持部材を外した電子機器装着具を身体に装着した状態の参考例を示す側面図である。
【図８】図７で示した電子機器装着具の斜視図である。
【図９】図７で示した電子機器装着具の分解斜視図である。
【図１０】他の電子機器装着具の一部を省略した平面図である。
【考案を実施するための形態】
【００２１】
以下、本考案に係る電子機器装着具の一実施形態について、図面に基づいて説明する。
【００２２】
図１には、電子機器の一例であるカメラ１が取り付けられた電子機器装着具２を頭部保護具である帽子３に装着した状態を示している。このように装着することによって、釣りをしているときのファイトシーンをカメラ１で撮像する、又は自転車に乗ってツーリングしているときの風景をカメラ１で撮像することができる。自転車に乗っている場合には、帽子をヘルメットに替えることもできる。ここでは、電子機器として、カメラを用いているが、電池で光を照射するランプや携帯用のモニタ等を用いることができる。
【００２３】
帽子３は、頭部を覆うクラウン部３Ａと、クラウン部３Ａの底部周縁の前側部分に取り付けられる庇用の鍔部３Ｂとを備えている。この鍔部３Ｂに、電子機器装着具２を固定して装着する。
【００２４】
電子機器装着具２は、カメラ１を取り付けるためのベース部材４と、ベース部材４を支持する支持部材５とを備えている。支持部材５は、ベース部材４を支持した状態で帽子３の鍔部３Ｂに固定可能な固定部６を備えている。
【００２５】
ベース部材４は、プラスチック材料（同等以上の強度を有するものであれば、どのような材料でもよい）で構成され、図２〜図５に示すように、略長方形状で板状のベース本体７と、ベース本体７の左右幅方向中央部の下部に前方に突出するベース取付部８とを一体形成して構成されている。ベース本体７は、帽子３Ａのクラウン部３Ａの前面に沿うように左右中央部ほど外側に位置するように湾曲している。また、ベース本体７の後面（裏面）には、クッション用のゴム製のシート部材９が貼り付けられている。また、ベース本体７の左右両端部には、縦長状の貫通孔７Ａ，７Ａが形成されており、この貫通孔７Ａ，７ＡにバンドＢを通している。尚、図４及び図５では、バンドＢを省略している。
【００２６】
ベース取付部８は、３枚の板状の突出片８Ａ，８Ｂ，８Ｃからなり、これら突出片８Ａ，８Ｂ，８Ｃは、同一間隔を開けて設けられ、先端部に後述するボルト１７を挿通可能な孔８ａ，８ｂ，８ｃ（図４参照）を備えている。各突出片８Ａ，８Ｂ，８Ｃは、板厚方向が左右方向であり、幅方向が上下方向となるように配置され、幅が前方に向うほど少しずつ狭くなり、前端部分が円弧状に構成されている。また、前方から見て右側の突出片８Ｃの左右方向外側に、ナット１０を収容するための収容部１１を備えている。この収容部１１の厚みは、突出片８Ａ，８Ｂ，８Ｃの厚みよりも厚くして、収容部１１の保形強度を高めている。
【００２７】
支持部材５は、プラスチック材料（同等以上の強度を有するものであれば、どのような材料でもよい）で構成され、図２〜図６（ａ），（ｂ）に示すように、ベース取付部８に取り付けるための支持部材用取付部１２と、支持部材用取付部１２の下端から下方へ延びる前記固定部６とを備えている。支持部材５の後面（裏面）において支持部材用取付部１２と固定部６との境界付近で、かつ、左右方向中央部分に、ベース部材４のベース本体７の下面に当接する当接部５Ｔを一体形成している。この当接部５Ｔがベース部材４のベース本体７の下面に当接することで、ベース部材４に対して支持部材５がガタツかないようにベース部材４に支持部材５を取り付けることができる。
【００２８】
支持部材用取付部１２は、四隅が角の取れた矩形状（図６（ａ）では長方形状）に構成された板状部材からなり、前記３枚の突出片８Ａ，８Ｂ，８Ｃを挿通させるための３つの開口１２Ａ，１２Ｂ，１２Ｃを左右方向に間隔を置いて形成している。また、支持部材用取付部１２の前面の外周縁には、長方形で環状の補強用の第１リブ１２Ｄが形成されている。また、左右方向で隣り合う開口１２Ａ，１２Ｂ、１２Ｂ，１２Ｃ間に前方に突出する縦長状の一対の第２リブ１２Ｅ，１２Ｆが形成されている。従って、支持部材用取付部１２の開口１２Ａ，１２Ｂ，１２Ｃに３枚の突出片８Ａ，８Ｂ，８Ｃを挿通させながら、支持部材用取付部１２をベース取付部８側へ移動させることによって、支持部材用取付部１２をベース取付部８の前面に配置することができる。この状態において、支持部材用取付部１２の第２リブ１２Ｅ，１２Ｆが、左右方向で隣り合う突出片８Ａ，８Ｂ、８Ｂ，８Ｃの間に位置する状態になっている。この状態において、後述する電子機器用取付部１４を配置した上でボルト１７により締結することによって、第２リブ１２Ｅ，１２Ｆが固定されてベース部材４への支持部材５の取り付けが完了する。
【００２９】
固定部６は、鍔部３Ｂの表側から裏側へ回り込んで鍔部３Ｂを表裏で挟む挟持部材から構成されている。この挟持部材６は、支持部材用取付部１２の下端から帽子３の上面に沿うように前側ほど下方に位置する傾斜姿勢に構成された上側部分６Ａと、上側部分６Ａの前端から下方へ折り曲げられて支持部材用取付部１２側へ戻す湾曲部分６Ｂと、湾曲部分６Ｂの支持部材用取付部１２側端（後側端）から上側部分６Ａの下面６ａに沿って延びる下側第１傾斜部分６Ｃと、下側第１傾斜部分６Ｃの支持部材用取付部１２側端（後側端）から上側部分６Ａの下面６ａに当接する当接部分６Ｄと、当接部分６Ｄの支持部材用取付部１２側端（後側端）から上側部分６Ａの下面６ａから離間するように延びる下側第２傾斜部分６Ｅとを備えている。この挟持部材６は、弾性復元力を有しているため、挟持部材６が鍔部３Ｂを挟み込むと、上側部分６Ａの下面６ａに対して当接部分６Ｄが離間する。このとき、当接部分６Ｄが上側部分６Ａの下面６ａに当接する側へ戻ろうとする弾性復元力が発生する。その弾性復元力によって、ベース部材４が帽子３に固定される。ここでは、一箇所でのみ上側部分６Ａの下面６ａに当接する当接部分６Ｄを固定部６に備えているが、二箇所以上で上側部分６Ａの下面６ａに当接する当接部分を固定部６に備えてもよい。また、帽子３の鍔部３Ｂの厚みによっては、当接部分６Ｄを備えなくてもよい。つまり、上側部分６Ａの下面６ａに鍔部３Ｂの厚み分に対応する距離よりも接近する位置に位置する接近部分を備えることになる。
【００３０】
カメラ１は、ブラケット１３に着脱自在に取り付けられている。このブラケット１３には、カメラ１をベース取付部８に取り付けるための電子機器用取付部１４が取り付けられている。
【００３１】
電子機器用取付部１４は、プラスチック材料（同等以上の強度を有するものであれば、どのような材料でもよい）で構成され、本体１４Ａと、本体１４Ａの一端側に同一間隔を置いて一体形成された３枚の円盤状のカメラ連結用取付部１４Ｂ，１４Ｃ，１４Ｄと、本体１４Ａの他端側に所定間隔を置いて一体形成された２枚の円盤状のベース取付用取付部１４Ｅ，１４Ｆとを備えている。前方から見て右側端に位置するカメラ連結用取付部１４Ｄの左右方向外側にナット１５を収容するための収容部１６を備えている。電子機器用取付部１４の左右方向で隣り合うカメラ連結用取付部１４Ｂ，１４Ｃ、１４Ｃ，１４Ｄ間にブラケット１３の一対の脚部１３Ａ，１３Ａ（図１では一方のみ図示）を挿入し、図示していないボルトの先端をカメラ連結用取付部１４Ｂ，１４Ｃ，１４Ｄに形成の孔１４ｂ，１４ｃ，１４ｄに挿通してナット１５にねじ込むことによって、ブラケット１３を電子機器用取付部１４に取り付ける（連結する）ことができる。ベース取付用取付部１４Ｅ，１４Ｆにも、後述するボルト１７が挿通する孔１４ｅ，１４ｆが形成されている。
【００３２】
ベース取付部８に電子機器用取付部１４を固定するための締結部材としてのボルト１７を備えている。そのボルト１７は、ボルト１７を回動操作するための回動操作具１８に挿通され、ボルト１７と回動操作具１８とが一体となる。回転操作具１８には、ボルト１７の頭部に嵌合してボルト１７の回転を阻止する凹部（図示せず）が形成されている。
【００３３】
支持部材用取付部１２をベース部材４のベース本体７の前面に位置させてから、電子機器用取付部１４のベース取付用取付部１４Ｅ，１４Ｆをベース取付部８の３枚の突出片８Ａ，８Ｂ、８Ｂ，８Ｃ間に挿入すると、支持部材用取付部１２の第２リブ１２Ｅ，１２Ｆが、電子機器用取付部１４のベース取付用取付部１４Ｅ，１４Ｆとベース本体７との間に介在されることになるため、ベース取付用取付部１４Ｅ，１４Ｆが第２リブ１２Ｅ，１２Ｆに当接した状態になる。このとき、ベース取付用取付部１４Ｅ，１４Ｆの孔１４ｅ，１４ｆと、ベース取付部８の３枚の突出片８Ａ，８Ｂ，８Ｃの先端部の孔８ａ，８ｂ，８ｃとが一致するようになっている。従って、ベース取付用取付部１４Ｅ，１４Ｆの孔１４ｅ，１４ｆと３枚の突出片８Ａ，８Ｂ，８Ｃの先端部の孔８ａ，８ｂ，８ｃとを一致させる必要がなく、ボルト１７による締結作業を迅速に行うことができる。尚、ベース取付用取付部１４Ｅ，１４Ｆが当接する第２リブ１２Ｅ，１２Ｆの当接面１２Ｔが、ベース取付用取付部１４Ｅ，１４Ｆの外形に沿う円弧形状になっている。
【００３４】
電子機器装着具２を構成するには、まずベース本体７の前面に支持部材５の支持部材用取付部１２を位置させる。このとき、支持部材５の第２リブ１２Ｅ，１２Ｆが、左右方向で隣り合う突出片８Ａ，８Ｂ、８Ｂ，８Ｃの間に挟み込まれた状態になっている。この状態で電子機器用取付部１４のベース取付用取付部１４Ｅ，１４Ｆをベース取付部８の３枚の突出片８Ａ，８Ｂ、８Ｂ，８Ｃ間に挿入する。挿入すると、ベース取付用取付部１４Ｅ，１４Ｆが第２リブ１２Ｅ，１２Ｆの当接面１２Ｔ，１２Ｔに当接し、ベース取付用取付部１４Ｅ，１４Ｆが当接面１２Ｔ，１２Ｔで位置決めされる。この位置決めされた状態で回動操作具１８を回転操作してボルト１７を締結することによって、突出片８Ａ，８Ｂ、８Ｂ，８Ｃ間が狭くなり、ベース取付用取付部１４Ｅ，１４Ｆ及び第２リブ１２Ｅ，１２Ｆが挟み込まれた状態で固定され、ベース部材４に支持部材５及び電子機器用取付部１４を固定することができる。
【００３５】
このように組み立てられた電子機器装着具２にカメラ１を取り付け、カメラ１が取り付けられた電子機器装着具２を帽子３に装着する。つまり、支持部材５の挟持部材６の下側第２傾斜部分６Ｅと上側部分６Ａとの間から帽子３の鍔部３Ｂに挟持部材６を挿入することによって、当接部分６Ｄが鍔部３Ｂによって押し広げられて挟持部材６で鍔部３Ｂを表裏で挟むことができる。これによって、支持部材５を帽子３に固定することができる。次に、バンドＢを帽子３に掛け回してから、締め付けることによって、ベース部材４を帽子３に更に固定することができる。ここでは、バンドＢを用いているが、バンドＢを省略して実施することもできる。
【００３６】
電子機器装着具２の支持部材５を取り外して使用する場合の参考例を、図７〜図９に示している。これは、使用者の胸周りに巻く水平バンドＢ１と使用者の肩に掛ける左右の肩掛けバンドＢ２，Ｂ３とを利用して胸の前方にカメラ１が位置するように電子機器装着具２を使用者に固定することができる。尚、他の部分は、図１〜図６に示したものと同一の構成であるため、同一部材には同一の符号を付すととともに説明は省略する。
【００３７】
左右の肩掛けバンドＢ２，Ｂ３は、ベース本体７の上部に形成された左右一対の横長状の貫通孔７Ｂ，７Ｂに通している。そして、左右の肩掛けバンドＢ２，Ｂ３と水平バンドＢ１とが後側で連結されている。
【００３８】
尚、本考案は、前記実施形態に限定されるものではなく、本考案の要旨を逸脱しない範囲で種々の変更が可能である。
【００３９】
前記実施形態では、支持部材５を、ベース部材４に対して着脱自在に構成したが、支持部材５をベース部材４に取り外すことができないように固定する、又は支持部材５とベース部材４とを一体形成して実施してもよい。
【００４０】
また、前記実施形態では、固定部６を、鍔部３Ｂの表側から裏側へ回り込んで鍔部３Ｂを表裏で挟む挟持部材から構成したが、雄雌のドットボタンの一方を鍔部３Ｂに、かつ、他方を支持部材５に備えて、固定部を構成してもよいし、また、雄雌の面ファスナーの一方を鍔部３Ｂに、かつ、他方を支持部材５に備えて、固定部を構成してもよい
【００４１】
また、前記実施形態では、ベース取付部８を３枚の突出片８Ａ，８Ｂ，８Ｃから構成したが、一対の突出片から構成してもよいし、４枚以上の突出片から構成してもよい。また、図１０に示すように、１枚の突出片８Ｄからベース取付部８を構成してもよい。この場合、電子機器用取付部１４を１枚のベース取付用取付部１４Ｇから構成してもよい。また、支持部材５の支持部材用取付部１２を一枚の板部材１２Ｈから構成してもよい。このように構成された突出片８Ｄ、ベース取付用取付部１４Ｇ、板部材１２Ｈには、貫通孔を備えており、突出片８Ｄに対してベース取付用取付部１４Ｇと板部材１２Ｈとをそれぞれの貫通孔が一致するように左右方向で重ね合わせて、回転操作具１８によりボルト（図示せず）をナット１０にねじ込んで、突出片８Ｄにベース取付用取付部１４Ｇと板部材１２Ｈとを固定することになる。
【符号の説明】
【００４２】
１…カメラ、２…電子機器装着具、３…帽子、３Ａ…クラウン部、３Ｂ…鍔部、４…ベース部材、５…支持部材、５Ｔ…当接部、６…固定部（挟持部材）、６Ａ        上側部分、６Ｂ…湾曲部分、６Ｃ…下側第１傾斜部分、６Ｄ…当接部分、６Ｅ…下側第２傾斜部分、６ａ…下面、７…ベース本体、７Ａ，７Ｂ…貫通孔、８…ベース取付部、８Ａ，８Ｂ，８Ｃ…突出片、８ａ，８ｂ，８ｃ…孔、９…シート部材、１０…ナット、１１…収容部、１２…支持部材用取付部、１２Ａ，１２Ｂ，１２Ｃ…開口、１２Ｄ，１２Ｅ，１２Ｆ…リブ、１２Ｈ…板部材、１２Ｔ…当接面、１３…ブラケット、１３Ａ…脚部、１４…電子機器用取付部、１４Ａ…本体、１４Ｂ，１４Ｃ，１４Ｄ…カメラ連結用取付部、１４Ｅ，１４Ｆ，１４Ｇ…ベース取付用取付部、１４ｂ，１４ｃ，１４ｄ，１４ｅ，１４ｆ…孔、１５…ナット、１６…収容部、１７…ボルト、１８…回動操作具、Ｂ，Ｂ１，Ｂ２，Ｂ３…バンド
【図１】
0003190106.tif 000003
【図２】
0003190106.tif 000004
【図３】
0003190106.tif 000005
【図４】
0003190106.tif 000006
【図５】
0003190106.tif 000007
【図６】
0003190106.tif 000008
【図７】
0003190106.tif 000009
【図８】
0003190106.tif 000010
【図９】
0003190106.tif 000011
【図１０】
0003190106.tif 000012